(57)【要約】【課題】受信したテレテキスト信号の歪み補正の精度を高める。【解決手段】等化処理装置１００において、第１の等化器１３０は、テレテキスト信号に含まれるＣＲＩ信号とＦＲＣ信号の等化処理を行い、第２の等化器１４０は、テレテキスト信号に含まれるテキストデータ信号の等化処理を行う。第１の等化器１３０は、テレテキスト信号のシンボルレートに対応するサンプリングレートより高いサンプリングレートで動作し、第２の等化器１４０は、テレテキスト信号のシンボルレートに対応するサンプリングレートで動作する。【選択図】図５
2010098395.tif 000002
【特許請求の範囲】
【請求項１】
受信したテレテキスト信号に含まれるＣＲＩ（Ｃｌｏｃｋ  Ｒｕｎ  Ｉｎ）信号およびＦＲＣ（Ｆｒａｍｉｎｇ  Ｃｏｄｅ）信号と、前記テレテキスト信号に含まれるテキストデータ信号とに対して、異なるサンプリングレートで等化処理を行うことを特徴とする等化処理方法。
【請求項２】
前記ＣＲＩ信号およびＦＲＣ信号に対して、前記テレテキスト信号のシンボルレートに対応するサンプリングレートより高いサンプリングレートで等化処理を行うことを特徴とする請求項１に記載の等化処理方法。
【請求項３】
前記テキストデータ信号に対して、前記テレテキスト信号のシンボルレートに対応するサンプリングレートで等化処理を行うことを特徴とする請求項１または２に記載の等化処理方法。
【請求項４】
前記ＣＲＩ信号およびＦＲＣ信号の等化処理と、前記テキストデータ信号の等化処理とを、異なる等化器により行うことを特徴とする請求項１から３のいずれか１項に記載の等化処理方法。
【請求項５】
受信したテレテキスト信号に含まれるＣＲＩ（Ｃｌｏｃｋ  Ｒｕｎ  Ｉｎ）信号およびＦＲＣ（Ｆｒａｍｉｎｇ  Ｃｏｄｅ）信号と、前記テレテキスト信号に含まれるテキストデータ信号とに対して、異なるサンプリングレートで等化処理を行うことを特徴とする等化処理装置。
【請求項６】
前記ＣＲＩ信号およびＦＲＣ信号に対して、前記テレテキスト信号のシンボルレートに対応するサンプリングレートより高いサンプリングレートで等化処理を行うことを特徴とする請求項５に記載の等化処理装置。
【請求項７】
前記テキストデータ信号に対して、前記テレテキスト信号のシンボルレートに対応するサンプリングレートで等化処理を行うことを特徴とする請求項５または６に記載の等化処理装置。
【請求項８】
第１の等化器と、
第２の等化器とを有し、
前記第１の等化器は、前記ＣＲＩ信号およびＦＲＣ信号に対して等化処理を行い、
前記第２の等化器は、前記テキストデータ信号に対して等化処理を行うことを特徴とする請求項５から７のいずれか１項に記載の等化処理装置。
【発明の詳細な説明】
【技術分野】
【０００１】
本発明は、テレテキスト信号の等化処理技術に関する。
【背景技術】
【０００２】
テレビジョン信号の隙間を利用して文字や単純図形などの情報を放送する文字多重放送（テレテキスト）が行われている。テレテキストでは、ベースバンドのコンポジット信号における垂直ブランキング期間（ＶＢＩ）に、テレテキスト信号が伝送される。
【０００３】
図６の上部は、テレテキスト信号の構成を示す。テレテキスト信号は、ＣＲＩ（Ｃｌｏｃｋ  Ｒｕｎ  Ｉｎ）信号、ＦＲＣ（Ｆｒａｍｉｎｇ  Ｃｏｄｅ）信号、テキストデータ信号からなる。
【０００４】
最も先頭にあるＣＲＩ信号は、テキストデータ信号の周期を示す基準信号であり、それに続くＦＲＣ信号は、テキストデータ信号の開始点を示す基準信号である。
【０００５】
ＦＲＣ信号に続くテキストデータ信号は、ＣＲＩ文字や単純図形などを表すシリアルデジタルデータ（テキストデータという）をＮＲＺ符号化（ＮＲＺ：Ｎｏｔ  Ｒｅｔｕｒｎ  ｔｏ  Ｚｅｒｏ）して得たものである。
【０００６】
テレテキスト信号の上記３つの信号のうち、ＣＲＩ信号およびＦＲＣ信号は決まった信号値配列パターンを有し、テキストデータ信号の信号値配列パターンはテキストデータの中身に応じて異なる。
【０００７】
テレテキスト信号のこのような構成により、ＣＲＩ信号を検出してテキストデータ信号の周期を知り、ＦＲＣ信号を検出してテキストデータ信号の開始点を知ることができる。
【０００８】
図６の下部は、受信側においてテレテキスト信号の検出タイミングを示す。まず、ＣＲＩ信号が検出され、ＣＲＩ信号期間においてＣＲＩ検出信号がアクティブになる。ＣＲＩ信号期間の後にＦＲＣ信号が検出され、ＦＲＣ信号期間においてＦＲＣ検出信号がアクティブになる。ＦＲＣ信号期間の終点においてテキストデータ検出信号がアクティブになり、テキストデータ信号が検出される。
【０００９】
テレテキスト信号の伝送がベースバンド伝送であるため、ゴーストなどにより信号の波形に歪みが生じやすい。そのため、受信側において、等化器（イコライザ）を用いて、波形の歪みを補正することが行われている。
【００１０】
等化器は、通常、等化フィルタ（トランスバーサルフィルタ）と、等化フィルタの係数を修正する係数修正回路を有する。等化フィルタは、テレテキスト信号に対して、波形の歪み補正を実行し、係数修正回路は、等化フィルタによる処理結果と期待値を比較し、比較結果を等化フィルタにフィードバックする。フィードバックは、具体的には、上記比較により得られた誤差に基づいて、処理結果が期待値に近づくように等化フィルタの係数を修正する処理である。
【００１１】
テレテキスト信号の等化処理に限られないが、等化器の性能向上について様々な手法が提案されている。
【００１２】
例えば、特許文献１に開示された手法は、既知のトレーニングデータが挿入されたトレーニング期間と、未知のトラッキングデータが挿入されたトラッキング期間を有する受信バーストに対して、トレーニング期間とトラッキング期間で異なるアルゴリズムを用いて等化フィルタの係数更新を行う。この手法によれば、トレーニング期間においては引込み状態への収束を高め、トラッキング期間においては演算量を減らすことができるとされている。
【００１３】
非特許文献１は、受信信号から近接ゴーストと遠方ゴーストを効果的に除去する手法を開示している。図７と図８を参照して説明する。
【００１４】
図７は、非特許文献１の図７（ａ）であり、該文献の手法を適用した等化器を示す。この等化器は、タップ間隔が異なる２つの等化フィルタ（Ｔ／２  ＦｉｌｔｅｒとＴ  Ｆｉｌｔｅｒ）を備える。Ｔ／２  Ｆｉｌｔｅｒは、タップ間隔がＴ／２であり、近接ゴーストの除去に有効であり、Ｔ  Ｆｉｌｔｅｒは、タップ間隔がＴであり、遠方ゴーストの除去に有効である。図７に示す等化器は、Ｔ／２  Ｆｉｌｔｅｒが処理した信号に対して、さらにＴ  Ｆｉｌｔｅｒで処理することにより、受信信号中の近接ゴーストと遠方ゴーストを共に除去する。なお、「Ｔ」は、シンボルレートの逆数である。
【００１５】
また、図８は、非特許文献１の図７（ｂ）であり、該文献に開示された別の等化器を示す。この等化器は、実質的には２つの等化器を備え、Ｔ／２  Ｆｉｌｔｅｒにより構成された等化器と、Ｔ  Ｆｉｌｔｅｒにより構成された等価器をカスケード接続にしたものであり、ゴーストの距離が長い場合において、図７に示す等化器より有効であるとされている。
【００１６】
また、特許文献２は、受信信号の周波数スペクトルはデータの内容によって大きく異なることに着目した手法を開示している。
【００１７】
受信信号のデータの内容が、「１」と「０」の各ビット値がほぼ均等に含まれている場合において、受信信号の周波数スペクトルはほぼ均等な広がりを呈する一方、データの内容が、「１」または「０」が連続した場合には、受信信号の周波数スペクトルに偏りが生じてしまう。周波数スペクトルに偏りをもつ信号がある程度続くと、等化器は、偏った周波数スペクトルをもつ信号に基づいて等化フィルタの係数修正を行うことになる。これでは、データ内容がランダム状態に戻った際に、偏った周波数スペクトルをもつ信号に基づいた修正結果が引きずり、場合によっては誤った修正をしてしまう。
【００１８】
特許文献２に開示された手法は、等化器により等化処理がなされた受信信号をビットデータに復調し、この復調データに対して、「１」または「０」が連続しているか否かを確認する。確認の結果、「１」または「０」が連続した場合、等化器への最適化修正動作（上述した等化フィルタの係数修正に該当すると考えられる）を停止する。
【００１９】
上記いずれの手法も、テレテキスト信号の等化処理に適用でき、当該手法の効果を得ることができると考えられる。
【特許文献１】特開平６−１８８７８５号公報
【特許文献２】特開平６−３２６６３４号公報
【非特許文献１】桜井優，大関和夫，"ディジタルテレビジョン受信機用自動等化器におけるタップ間隔いついての考察"，電子情報通信学会論文誌，２００４年３月，Ｖｏｌ．Ｊ８７−Ａ  Ｎｏ．３，ｐｐ．４２４−４２７
【発明の開示】
【発明が解決しようとする課題】
【００２０】
等化器の性能について、歪み補正の精度向上も要望されている。補正精度を向上させるためには、等化器のサンプリングレートを高くする手法が考えられる。なお、等化器のサンプリングレートを高くすることは、等化器に含まれる等化フィルタの係数修正の頻度を高くすることを意味する。
【００２１】
ところで、等化フィルタの係数修正は、等化フィルタにより処理された信号値と、期待値との比較結果に基づいてなされるので、係数修正の頻度を高くするためには、期待値の数を増やす必要がある。しかし、テレテキスト信号の場合、それに含まれるテキストデータ信号の中身が未知であるため、仮の期待値が用いられている。仮の期待値を用いるのでは、サンプリングレートを高くしても、補正精度を高めることが期待できない。また、仮の期待値が、実際のデータ内容と異なる場合には、増えることによって反って補正精度を下げてしまう可能性がある。
【課題を解決するための手段】
【００２２】
本発明の一つの態様は、受信したテレテキスト信号の等化処理方法である。この方法は、テレテキスト信号に含まれるＣＲＩ信号およびＦＲＣ信号と、テキストデータ信号とに対して、異なるサンプリングレートで等化処理を行う。
【００２３】
なお、上記等化処理方法を等化処理装置やシステムに置き換えて表現したもの、本発明の態様としては有効である。
【発明の効果】
【００２４】
本発明にかかる技術によれば、受信したテレテキスト信号の歪み補正の精度を高めることができる。
【発明を実施するための最良の形態】
【００２５】
本発明の具体的な実施の形態の前に、まず、本発明の原理について説明する。
テレテキスト信号に含まれるＣＲＩ信号およびＦＲＣ信号（以下、ＣＲＩ信号とＦＲＣ信号を合わせてＣＲＩ＆ＦＲＣ信号ともいう）と、テキストデータ信号は、異なる性質を有する。
【００２６】
ＣＲＩ＆ＦＲＣ信号は、決まった既知のパターンであり、等化処理の際に、正確な期待値を用意することができる。一方、テキストデータ信号は、その内容が未知であるため、仮の期待値しか用意できない。
【００２７】
また、ＣＲＩ＆ＦＲＣ信号とテキストデータ信号は、異なる周波数特性を有する。図１と図２を参照して説明する。
【００２８】
図１は、ＣＲＩ＆ＦＲＣ信号の周波数特性の例を示し、図２は、テキストデータ信号の周波数特性の例を示す。図中横軸は、シンボルレートにより正規化された周波数であり、縦軸は、信号の振幅である。
【００２９】
図１に示すように、ＣＲＩ＆ＦＲＣ信号の場合、周波数帯域は限定されている。これは、ＣＲＩ＆ＦＲＣ信号が、ばらつきの少ない固定パターンを有するからである。
【００３０】
一方、図２に示すように、テキストデータ信号の場合、周波数帯域はＣＲＩ＆ＦＲＣ信号の場合より広くなる。これは、テキストデータ信号の内容が「１」と「０」がランダムに含まれるからである。また、「１」または「０」が連続したデータ内容の場合、テキストデータ信号の周波数帯域が偏ってしまう。
【００３１】
本願発明は、ＣＲＩ＆ＦＲＣ信号とテキストデータ信号の上述した異なる性質に着目してなされたものである。
【００３２】
図３は、本発明にかかる技術を説明するための等化処理装置の模式図である。この等化処理装置１０は、等化フィルタ２０と、等化フィルタ２０の係数を修正する係数修正回路３０を備え、係数修正回路３０は、さらに誤差検出部３２と、係数算出部３４を有する。
【００３３】
誤差検出部３２は、等化フィルタ２０により処理がなされたテレテキスト信号と、期待値とを比較することにより誤差を得る。係数算出部３４は、誤差検出部３２が得た誤差に基づいて、等化フィルタ２０による処理結果が期待値に近づくように等化フィルタ２０の新たな係数を算出して等化フィルタ２０に設定する。
【００３４】
係数修正回路３０は、テレテキスト信号に含まれるＣＲＩ＆ＦＲＣ信号と、テキストデータ信号とに対して、異なる修正頻度で等化フィルタ２０の係数を修正する。すなわち、係数修正回路３０は、ＣＲＩ＆ＦＲＣ信号と、テキストデータ信号とで、異なるサンプリングレートで動作する。
【００３５】
前述したように、ＣＲＩ＆ＦＲＣ信号は、決まった既知のパターンであり、周波数帯域が限定されている。そのため、ＣＲＩ＆ＦＲＣ信号を等化処理する際に、期待値の補間演算により期待値の数を増やすことができる。従って、係数修正回路３０は、テレテキスト信号のシンボルレートに対応するサンプリングレートより高い、例えば２倍のサンプリングレートで等化フィルタ２０の係数修正が可能である。これにより、ＣＲＩ＆ＦＲＣ信号の歪み補正の精度を高めることができる。
【００３６】
一方、仮の期待値しか得られないテキストデータ信号に対しては、ＣＲＩ＆ＦＲＣ信号の場合と異なるサンプリングレート、例えばテレテキスト信号のシンボルレートに対応するサンプリングレートで係数修正を行うことにより、誤った修正を回避することができる。
【００３７】
結果としては、テレテキスト信号全体の歪み補正精度を高めることができる。
【００３８】
図４は、本発明にかかる技術を説明するための等化処理装置の別の模式図である。この等化処理装置５０は、第１の等化器６０と第２の等化器７０を備え、該２つの等化器により、ＣＲＩ＆ＦＲＣ信号とテキストデータ信号の等化処理をそれぞれ行う。なお、分かりやすいように、図４において、テレテキスト信号からＣＲＩ＆ＦＲＣ信号、テキストデータ信号を検出する機能ブロックを省略する。
【００３９】
第１の等化器６０は、ＣＲＩ＆ＦＲＣ信号の等化処理を担うものであり、テキストデータ信号については、処理せずに後段の第２の等化器７０に出力する。図示のように、第１の等化器６０は、等化フィルタ６２と、等化フィルタ６２の係数を修正する係数修正回路６４を有する。係数修正回路６４は、さらに誤差検出部６６と係数算出部６８を有する。誤差検出部６６は、等化フィルタ６２により処理がなされたＣＲＩ＆ＦＲＣ信号と、期待値（ＣＲＩ＆ＦＲＣ信号の期待値）とを比較することにより誤差を得る。係数算出部６８は、誤差検出部６６が得た誤差に基づいて、等化フィルタ６２による処理結果が期待値に近づくように等化フィルタ６２の新たな係数を算出して等化フィルタ６２に設定する。
【００４０】
第２の等化器７０は、テキストデータ信号の等化処理を担うものであり、ＣＲＩ＆ＦＲＣ信号については、処理しない。図示のように、第２の等化器７０は、等化フィルタ７２と、等化フィルタ７２の係数を修正する係数修正回路７４を有する。係数修正回路７４は、さらに誤差検出部７６と係数算出部７８を有する。誤差検出部７６は、等化フィルタ７２により処理がなされたテキストデータ信号と、期待値（テキストデータ信号の期待値）とを比較することにより誤差を得る。係数算出部７８は、誤差検出部７６が得た誤差に基づいて、等化フィルタ７２による処理結果が期待値に近づくように等化フィルタ７２の新たな係数を算出して等化フィルタ７２に設定する。
【００４１】
第１の等化器６０における係数修正回路６４と、第２の等化器７０における係数修正回路７４は、異なるサンプリングレートで動作する。具体的には、例えば、係数修正回路６４は、テレテキスト信号のシンボルレートに対応するサンプリングレートより高い、例えば２倍のサンプリングレートで動作し、係数修正回路７４は、係数修正回路６４と異なるサンプリングレート、例えばテレテキスト信号のシンボルレートに対応するサンプリングレートで動作する。
【００４２】
すなわち、等化処理装置５０も、ＣＲＩ＆ＦＲＣ信号と、テキストデータ信号とに対して、異なる修正頻度で等化フィルタの係数を修正する。そのため、図３の模式図が示す等化処理装置１０と同様の効果を得ることができる。
【００４３】
また、等化処理装置５０は、ＣＲＩ＆ＦＲＣ信号の等化処理と、テキストデータ信号の等化処理に異なる等化器を用いるので、ＣＲＩ＆ＦＲＣ信号と、テキストデータ信号の周波数特性が互いの等化処理に影響を与えることを回避でき、テレテキスト信号全体の等化処理の精度をより高めることができる。
【００４４】
以上を踏まえて、本発明の原理を具現化した等化処理装置を説明する。
図５は、本発明の実施の形態にかかる等化処理装置１００を示す。等化処理装置１００は、受信したテレテキスト信号に対して等化処理を行うものであり、ＣＲＩ検出部１１２と、ＦＲＣ検出部１１４と、テキストデータ検出部１１６と、ＯＲゲート１２０と、第１の等化器１３０と、第２の等化器１４０と、２値化部１５０と、分散算出部１６０を備える。
【００４５】
ＣＲＩ検出部１１２は、テレテキスト信号に対してＣＲＩ信号の検出を行い、ＣＲＩ信号を検出すると、ＣＲＩ検出信号Ｓ１をアクティブにする。すなわち、ＣＲＩ検出信号Ｓ１は、ＣＲＩ信号期間においてアクティブであり、それ以外の期間では非アクティブである。
【００４６】
ＦＲＣ検出部１１４は、テレテキスト信号に対してＦＲＣ信号の検出を行い、ＦＲＣ信号を検出すると、ＦＲＣ検出信号Ｓ２をアクティブにする。すなわち、ＦＲＣ検出信号Ｓ２は、ＦＲＣ信号期間においてアクティブであり、それ以外の期間では非アクティブである。
【００４７】
テキストデータ検出部１１６は、テレテキスト信号に対してテキストデータ信号の検出を行い、テキストデータ信号を検出すると、テキストデータ検出信号Ｓ３をアクティブにする。すなわち、テキストデータ検出信号Ｓ３は、テキストデータ信号期間においてアクティブであり、それ以外の期間では非アクティブである。
【００４８】
ＣＲＩ検出部１１２からのＣＲＩ検出信号Ｓ１と、ＦＲＣ検出部１１４からのＦＲＣ検出信号Ｓ２は、ＯＲゲート１２０に入力される。
【００４９】
ＯＲゲート１２０は、ＣＲＩ検出信号Ｓ１とＦＲＣ検出信号Ｓ２の論理和Ｓ４を第１の等化器１３０に出力する。この論理和Ｓ４は、第１の等化器１３０が動作するか否かを制御する信号として機能し、以下制御信号という。
【００５０】
第１の等化器１３０は、制御信号Ｓ４がアクティブであるときに、テレテキスト信号（この場合、ＣＲＩ信号またはＦＲＣ信号）に対して等化処理を行って、第２の等化器１４０に出力する。また、制御信号Ｓ４が非アクティブであるときには、テレテキスト信号（この場合、テキストデータ信号）をそのまま第２の等化器１４０に出力する。
【００５１】
すなわち、第１の等化器１３０は、テレテキスト信号のＣＲＩ＆ＦＲＣ信号に対してのみ等化処理を行う。なお、第１の等化器１３０の詳細構成については後述する。
【００５２】
第２の等化器１４０は、テキストデータ検出信号Ｓ３がアクティブであるときに、第１の等化器１３０からの信号に対して等化処理を行って２値化部１５０に出力し、制御信号Ｓ６が非アクティブであるときには、第１の等化器１３０からの信号をそのまま２値化部１５０に出力する。すなわち、第２の等化器１４０は、テキストデータ信号に対してのみ等化処理を行う。なお、第２の等化器１４０の詳細構成については後述する。
【００５３】
２値化部１５０は、第２の等化器１４０からの信号を２値化して２値データを得、等化処理装置１００の処理結果として出力する。この２値データは、分散算出部１６０にも出力される。
【００５４】
分散算出部１６０は、２値化部１５０が得た２値データに対して分散を求めると共に、求められた分散に応じて、分散信号Ｓ５をアクティブ／非アクティブにする。具体的には、求めた分散が所定の閾値以上である場合には、分散信号Ｓ５をアクティブにし、分散が上記閾値未満である場合には、分散信号Ｓ５を非アクティブにする。
【００５５】
分散信号Ｓ５は、第２の等化器１４０の後述する係数修正回路１４４に入力される。
第１の等化器１３０と第２の等化器１４０を詳細に説明する。
【００５６】
第１の等化器１３０は、ＣＲＩ＆ＦＲＣ等化フィルタ１３２と、係数修正回路１３４を有する。係数修正回路１３４は、さらに誤差検出部１３６と係数算出部１３８を有する。誤差検出部１３６は、等化フィルタ１３２により処理がなされた信号（ここではＣＲＩ信号またはＦＲＣ信号）と、期待値（ＣＲＩ信号またはＦＲＣ信号の期待値）とを比較することにより誤差を得る。係数算出部１３８は、誤差検出部１３６が得た誤差に基づいて、等化フィルタ１３２による処理結果が期待値に近づくように等化フィルタ１３２２の新たな係数を算出して等化フィルタ１３２２に設定する。
【００５７】
また、第１の等化器１３０において、係数修正回路１３４は、テレテキスト信号のシンボルレートに対応するサンプリングレートの２倍のサンプリングレートで動作する。
【００５８】
第２の等化器１４０は、等化フィルタ１４２と、等化フィルタ１４２の係数を修正する係数修正回路１４４を有する。係数修正回路１４４は、さらに誤差検出部１４６と係数算出部１４８を有する。誤差検出部１４６は、等化フィルタ１４２により処理がなされた信号（ここではテキストデータ信号）と、期待値（テキストデータ信号の期待値）とを比較することにより誤差を得る。係数算出部１４８は、誤差検出部１４６が得た誤差に基づいて、等化フィルタ１４２による処理結果が期待値に近づくように等化フィルタ１４２の新たな係数を算出して等化フィルタ１４２に設定する。なお、第２の等化器１４０の係数修正回路１４４は、分散算出部１６０からの分散信号Ｓ５により制御され、分散信号Ｓ５がアクティブである場合においてのみ動作する。
【００５９】
すなわち、第２の等化器１４０は、テキストデータ信号に対してのみ等化処理を行う。また、等化処理に際して、該テキストデータ信号に対応するビットデータの分散が所定の閾値以上である場合にはテキストデータ等化フィルタ１４２の係数修正を行うが、分散が上記閾値未満である場合には、テキストデータ等化フィルタ１４２の係数修正を行わない。
【００６０】
等化処理装置１００は、図２に示す等化処理装置５０に対応する実施の形態であり、サンプリングレートが異なる２つの等化器により、ＣＲＩ＆ＦＲＣ信号と、テキストデータ信号の等化処理をそれぞれ行う。この等化処理装置１００によれば、等化処理装置５０の説明時に述べた効果を得ることができる。
【００６１】
さらに、等化処理装置１００において、第２の等化器１４０は、テキストデータ信号の等化処理に際して、該テキストデータ信号に対応するビットデータの分散が大きいときにのみ、テキストデータ等化フィルタ１４２の係数修正を行う。
【００６２】
テキストデータ信号のデータ内容に「１」と「０」がランダムに含まれている場合に分散が大きくなる。したがって、分散が大きいときにのみテキストデータ等化フィルタ１４２の係数修正を行うことによって、「１」または「０」が連続した期間が長いなど、テキストデータ信号の周波数特性に偏りが生じた場合に起こりうる誤修正を回避することができ、歪み補正の精度をより高めることができる。
【００６３】
以上、実施の形態をもとに本発明を説明した。実施の形態は例示であり、本発明の主旨から逸脱しない限り、上述した各実施の形態に対してさまざまな変更、増減、組合せを行ってもよい。これらの変更、増減、組合せが行われた変形例も本発明の範囲にあることは当業者に理解されるところである。
【図面の簡単な説明】
【００６４】
【図１】テレテキスト信号に含まれるＣＲＩ信号とＦＲＣ信号の周波数特性を示す図である。
【図２】テレテキスト信号に含まれるテキストデータ信号の周波数特性を示す図である。
【図３】本発明にかかる技術を説明するための等化処理装置の模式図である。
【図４】本発明にかかる技術を説明するための等化処理装置の別の模式図である。
【図５】本発明の実施の形態にかかる等化処理装置を示す図である。
【図６】テレテキスト信号の構成を示す図である。
【図７】非特許文献１に開示された等化器を示す図である。
【図８】非特許文献１に開示された等化器を示す図である。
【符号の説明】
【００６５】
１０  等化処理装置  ２０  等化フィルタ
３０  係数修正回路  ３２  誤差検出部
３４  係数算出部  ５０  等化処理装置
６０  第１の等化器  ６２  等化フィルタ
６４  係数修正回路  ６６  誤差検出部
６８  係数算出部  ７０  第２の等化器
７２  等化フィルタ  ７４  係数修正回路
７６  誤差検出部  ７８  係数算出部
１００  等化処理装置  １１２  ＣＲＩ検出部
１１４  ＦＲＣ検出部  １１６  テキストデータ検出部
１２０  ＯＲゲート  １３０  第１の等化器
１３２  ＣＲＩ＆ＦＲＣ等化フィルタ  １３４  係数修正回路
１３６  誤差検出部  １３８  係数算出部
１４０  第２の等化器  １４２  テキストデータ等化フィルタ
１４４  係数修正回路  １４６  誤差検出部
１４８  係数算出部  １５０  ２値化部
１６０  分散算出部
【図１】
2010098395.tif 000003
【図２】
2010098395.tif 000004
【図３】
2010098395.tif 000005
【図４】
2010098395.tif 000006
【図５】
2010098395.tif 000007
【図６】
2010098395.tif 000008
【図７】
2010098395.tif 000009
【図８】
2010098395.tif 000010